(57)【要約】【課題】液化ガスおよびそれよりも上方域に存在する気化ガスを収納したエアゾール式容器の正立および倒立の各モードで、気化ガスのみを確実に放出する。【解決手段】正立モードで上方域Ａに位置する取込口11ｂ、倒立モードで上方域Ａに位置する取込口12ｂを形成し、各モードのゲート部11ａ，12ａを開閉するボール14を設けた。ボール14は正立モードではゲート部12ａを閉じ、上方域Ａの気化ガスが取込口11ｂからハウジングの内部空間17ａを経て外部空間に放出される。倒立モードでは、ボール14がゲート部11ａを閉じ、上方域Ａの気化ガスは取込口12ｂから通路部12ｄなどを通過して同じく内部空間17ａに流入する。倒立モードのとき、当該モードの専用通路部の出口用孔部とその先の共通通路部の入口用孔部（＝正立モードの入口用孔部）とを、当該各孔部の近傍の内容物収納空間に選択的に設定される閉空間域により連通させる機構も開示している。【選択図】図１
2005035648.tif 000002
【特許請求の範囲】
【請求項１】
液化ガスおよび気化ガスを内部収納空間に保持したエアゾール式容器の正立および倒立の各モードで当該内部収納空間の上方域の気化ガスを外部空間に放出するための内容物放出機構において、  
前記各モードでの放出操作により前記外部空間につながる共用通路部と、
前記共用通路部の上流側に形成されて正立モードにおける前記気化ガスが流入する正立用入力部と、
前記共用通路部の上流側に形成されて倒立モードにおける前記気化ガスが流入して通過する倒立用通路部と、
正立モードまたは倒立モードの設定に応じて移動することにより、正立モードのときには前記正立用入力部を当該モードの前記上方域と連通させ、倒立モードのときにはこの連通を阻止するとともに当該モードの前記上方域から前記倒立用通路部を経て前記共用通路部に至るルートを確保する、モード切換部を有する、
ことを特徴とする内容物放出機構。
【請求項２】
前記倒立用通路部として、倒立モードの前記上方域に位置する気化ガス入り口部分を持つ筒状部を設け、
前記モード切換部として、正立モードのときには前記倒立用通路部を閉状態に設定し、倒立モードのときには前記正立用入力部を閉状態に設定する、ゲート作用部材を設けた、ことを特徴とする請求項１記載の内容物放出機構。
【請求項３】
前記共用通路部として、その上流側が閉塞部分であり、当該閉塞部分側に前記内容物収納空間と連通可能な第１の孔部が正立モードの前記上方域に位置する態様で形成された、第１の鞘状部を設け、
前記倒立用通路部として、その下流側が閉塞部分であり、当該閉塞部分側に前記内容物収納空間と連通可能な第２の孔部が形成されるとともに、前記内容物収納空間と連通する開口部分が倒立モードの前記上方域に位置する態様で形成された第２の鞘状部を設け、
前記モード切換部として、前記第１および第２の各孔部に対して移動可能であり、正立モードのときには少なくとも前記第１の孔部を前記上方域の全体と連通させ、かつ、倒立モードのときには前記第１および第２の孔部の前記内容物収納空間側を囲って当該第２の孔部から当該第１の孔部にいたる通路用閉空間域を前記内容物収納空間に形成する、シール部材を設け、
正立モードのとき、前記第１の孔部が前記正立用入力部として作用する、
ことを特徴とする請求項１記載の内容物放出機構。
【発明の詳細な説明】
【技術分野】
【０００１】
本発明は、内容物放出機構に関し、特に液化ガスおよび気化ガスを内部空間に収納したエアゾール式容器の正立および倒立の各モードで、その内容物収納空間の上方域の気化ガスを外部空間に放出するための内容物放出機構に関する。
【背景技術】
【０００２】
容器本体の下方域に位置する内容物および当該内容物よりも上方域に位置する放出用ガスを収納し、正立および倒立の各モードで内容物を放出させるための正倒立用のエアゾール式容器が開示されている（例えば、特許文献１参照）。
【０００３】
当該エアゾール式容器は、正立モードで下方域に位置する正立用取込口と、倒立モードで下方域に位置する倒立用取込口、および各取込口を選択的に開閉する弁部材を備えている。
【０００４】
この弁部材の作用により、
・正立モードでは、正立用取込口が開き、倒立用取込口が閉じ、
・倒立モードでは、倒立用取込口が開き、正立用取込口が閉じるので、
いずれのモードにおいても容器本体の下方域に位置する内容物が外部空間に放出される。
【０００５】
一方、液化ガスを収納し、この液化ガスの上方域に存在する気化ガスを正立モードで放出するための、例えばパソコン用キーボードのエアークリーナーなどの正立専用エアゾール式容器が市販されている。
【０００６】
当該エアゾール式容器の気化ガス取込口は、正立モードのとき上方域に位置するように形成されているので、倒立モードでは下方域に位置してしまい、本来の放出対象ではない
液化ガスが放出されてしまう。
【特許文献１】実公昭５８−８３４６号公報
【発明の開示】
【発明が解決しようとする課題】
【０００７】
このように従来の正倒立用のエアゾール式容器は、もっぱら容器本体の下方域に存在する内容物を外部空間に放出するものであった。
【０００８】
一方、気化ガス放出用の正立専用エアゾール式容器は、例えばパソコン用キーボードをクリーニングする際に容器を傾倒して放出操作を行った場合、前述のように液化ガスが放出され、濡れて不具合を引き起こすといった問題点があった。
【０００９】
そこで、本発明では液化ガスおよび気化ガスを収納したエアゾール式容器の正立および倒立の各モードで、気化ガスを積極的に外部空間に放出できて使い勝手の良い内容物通路機構を提供することを目的とする。
【課題を解決するための手段】
【００１０】
本発明は、この課題を次にようにして解決する。
（１）液化ガスおよび気化ガスを内容物収納空間に保持したエアゾール式容器の正立および倒立の各モードで当該内容物収納空間の上方域（例えば後述の上方域Ａ）の気化ガスを外部空間に放出するための内容物放出機構において、前記各モードでの放出操作により前記外部空間につながる共用通路部（例えば後述のハウジングの内部空間１７ａ，２１ａ，ステム３１，放出用パイプ３３）と、前記共用通路部の上流側に形成されて正立モードにおける前記気化ガスが流入する正立用入力部（例えば後述の正立用取込口１１ｂ，共用孔部２１ｄ）と、前記共用通路部の上流側に形成されて倒立モードにおける前記気化ガスが流入して通過する倒立用通路部（例えば後述の倒立用通路部１１ｄ，１２ｄ，パイプ１６，倒立用通路部２１ｅ，倒立用孔部２１ｆ）と、正立モードまたは倒立モードの設定に応じて移動することにより、正立モードのときには前記正立用入力部を当該モードの前記上方域と連通させ、倒立モードのときにはこの連通を阻止するとともに当該モードの前記上方域から前記倒立用通路部を経て前記共用通路部に至るルートを確保する、モード切換部（例えば後述のボール１４，重り２２）を備える。
（２）上記（１）において、前記倒立用通路部として、倒立モードの前記上方域に位置する気化ガス入り口部分（例えば後述の倒立用取込口１２ｂ）を持つ筒状部（例えば後述の共用通路形成部材１１，倒立用通路形成部材１２，パイプ１６）を設け、前記モード切換部として、正立モードのときには前記倒立用通路部を閉状態に設定し、倒立モードのときには前記正立用入力部を閉状態に設定する、ゲート作用部材（例えば後述のボール１４）を設ける。
（３）上記（１）において、前記共用通路部として、その上流側が閉塞部分（例えば後述の閉塞部分２１ｇ）であり、当該閉塞部分側に前記内容物収納空間と連通する第１の孔部（例えば後述の共用孔部２１ｄ）が正立モードの前記上方域に位置する態様で形成された、第１の鞘状部（例えば後述のハウジング２１）を設け、前記倒立用通路部として、その下流側が閉塞部分（例えば後述の閉塞部分２１ｇ）であり、当該閉塞部分側に前記内容物収納空間と連通可能な第２の孔部（例えば後述の倒立用孔部２１ｆ）が形成されるとともに、前記内容物収納空間と連通する開口部分（例えば後述のパイプ２４の上流側開口部分）が倒立モードの前記上方域に位置する態様で形成された第２の鞘状部（例えば後述のハウジングの垂下部２１ｃ）を設け、前記モード切換部として、前記第１および第２の各孔部に対して移動可能であり、正立モードのときには少なくとも前記第１の孔部を前記上方域の全体と連通させ、かつ、倒立モードのときには前記第１および第２の孔部の前記内容物収納空間側を囲って当該第２の孔部から当該第１の孔部にいたる通路用閉空間域（例えば後述のバイパス通路２５）を前記内容物収納空間に形成する、シール部材（例えば後述の重り２２）を設け、正立モードのとき、前記第１の孔部を前記正立用入力部として作用させる。
【発明の効果】
【００１１】
本発明では、このように、モード切換部の作用により、正立モードでは正立用入力部が内部空間の上方域と連通し、倒立モードのときにはこの連通が阻止されて内部空間の上方域から倒立用通路部を経て共用通路部に至るルートが確保されるので、正立及び倒立の各モードで内部空間の上方域の気化ガスを確実に外部空間に放出させることができる。
【００１２】
また、モード切換部として、正立，倒立の各モードの気化ガス入力部分を選択的に開閉するゲート作用部材や、倒立モードにおいて倒立用通路部のいわば出口部分の孔部とその先の共通通路部側の孔部とを（内容物収納空間の一部である）閉空間域により連通させるシール部材を用いているので、正倒立モードの選択的な設定技術の豊富化を図ることができる。
【発明を実施するための最良の形態】
【００１３】
図１乃至図４を用いて本発明を実施するための最良の形態を説明する。
図１は、気化ガス放出機構（その１）の正立モード、図２は気化ガス放出機構（その１）の倒立モード、図３は、気化ガス放出機構（その２）の正立モード、図４は気化ガス放出機構（その２）の倒立モードをそれぞれ示している。
【００１４】
これらの図において、
１は正倒立用の気化ガス放出機構（その１），
１１は正立モードおよび倒立モードで気化ガスの通路を形成する共用通路形成部材，１１ａは正立モードで開状態となるゲート部，１１ｂは正立モードで上方域Ａに位置して気化ガスを取り込むための正立用取込口，１１ｃは後述のハウジング１７に取り付けるための凹状部，１１ｄは倒立モードで気化ガスの通路となる倒立用通路部， 
１２は倒立モードで気化ガスの通路を形成する倒立用通路形成用部材，１２ａは倒立モードで開状態となるゲート部，１２ｂは倒立モードで上方域Ａに位置して気化ガスを取り込むための倒立用取込口，１２ｃは凹状部，１２ｄは倒立モードで気化ガスの通路となる倒立用通路部，
１３は凹状部１２ｃを塞ぐ尾栓，
１４はゲート部１１ａ，１２ａを選択的に開閉して液化ガスの流入，放出を防止するボール，
１５はボール移動用パイプ，
１６は倒立モードで気化ガスを後述のハウジング１７に送出するためのパイプ（倒立用通路部），
１７はハウジング，１７ａは当該ハウジングの内部空間，
２は正倒立用の気化ガス放出機構（その２），
２１はハウジング，２１ａは当該ハウジングの内部空間，２１ｂは後述の重り２２の受け部，２１ｃは垂下部，２１ｄは正立モードで上方域Ａに位置して気化ガスを取り込み倒立モードで気化ガスの通路となる共用孔部，２１ｅは後述のパイプ２４に連通し倒立モードで気化ガスの通路となる倒立用通路部，２１ｆは倒立モードで気化ガスの通路となる倒立用孔部，２１ｇは正立モードで液化ガスの取り込みを防止するための閉塞部分，
２２は倒立モードで共用孔部２１ｄおよび倒立用孔部２１ｆと下方域Ｂとの連通状態を遮断して両孔部とその近傍以外の内容物収納空間との間をシールするとともに後述のバイパス通路２５を形成するための環状の重り，
２３は重り受け部材，
２４は倒立モードで気化ガスを取り込むためのパイプ，
２５は倒立モードで倒立用孔部２１ｆと共用孔部２１ｄとを下方域Ｂに対する閉空間のかたちで連通させるためのバイパス通路，
３１はステム，
３２は操作釦，
３３は放出用パイプ，３３ａは放出口，
Ａは容器本体内部の気化ガスが存在する上方域，Ｂは容器本体内部の液化ガスが存在する下方域，
をそれぞれ示している。
【００１５】
ここで、正倒立用の気化ガス放出機構１，２に用いられる液化ガスは、プロパンなどの液化石油ガス，ジメチルエーテルなどのエーテル，フロンガスおよびその他の液化ガスであり、容器本体の約８割に相当する量を充填する。したがって充填された液化ガスの圧力は低くなるのでその一部が気化して液化ガスの上方域に位置する。この気化ガスが放出対象である。
【００１６】
なお、放出操作を行う度に気化ガスが放出されることによって容器内部の圧力が下がり、収納されている液化ガスはその分だけ気化ガスになる。
【００１７】
正倒立用の気化ガス放出機構１，２の共通点は、正立モードで上方域に位置する正立用取込口１１ｂや共用孔部２１ｄと、倒立モードで上方域に位置する倒立用取込口１２ｂやパイプ２４を設け、各モードでこれらの動作・非動作をいわば自動的に切り換えることによって容器本体の上方域に位置する気化ガスを外部空間に放出させるようにしていることである。
【００１８】
図１および図２を用いて正倒立用の気化ガス放出機構１について説明する。
【００１９】
正倒立用の気化ガス放出機構１のハウジング１７には共用通路形成部材１１が取り付けられ、当該共用通路形成部材は倒立用通路形成部材１２との間でボール移動用パイプ１５と気化ガス送出用パイプ１６を並列するかたちで保持している。
【００２０】
なお、共用通路形成部材１１と倒立用通路形成部材１２、およびボール移動用パイプ１５と気化ガス送出用パイプ１６は同一構造のものである。したがって、共用通路形成部材１１のハウジング取付用の凹状部１１ｃと同様の凹状部１２ｃが倒立用通路形成部材１２にも形成され、当該凹状部１２ｃは尾栓１３で閉塞されている。
【００２１】
そして、正立および倒立の各モードで、下方域Ｂに位置するゲート部を閉じて液化ガスの流入を防止するとともに、上方域Ａに位置するゲート部を開いて気化ガスを取り込むボール１４が、各モードの切換時に自重でボール移動用パイプ１５の内部を移動するかたちで設けられている。
【００２２】
図１の正立モードでは、
・正立用取込口１１ｂが上方域Ａに位置し、
・倒立用取込口１２ｂが下方域Ｂに位置し、
・自重で落下したボール１４がゲート部１２ａを閉じている。（ゲート部１１ａは勿論開いている。）
【００２３】
したがってこの状態で操作釦３２を押圧するとステム３１の孔部（図示省略）が開いて、上方域Ａの気化ガスが、正立用取込口１１ｂ−ゲート部１１ａ−ハウジング１７の内部空間１７ａ−ステム３１−放出用パイプ３３を通過して放出口３３ａから外部空間に放出される。
【００２４】
なお、倒立用取込口１２ｂが下方域Ｂに開口し、液化ガスがボール移動用パイプ１５に流入しているが、その上方は上方域Ａの気化ガスであるため、この流入した液化ガスがハウジング１７に取り込まれることはない。
【００２５】
図２に示すように、倒立モードでは、
・倒立用取込口１２ｂが上方域Ａに位置し、
・正立用取込口１１ｂが下方域Ｂに位置し、
・ボール１４は自重で移動用パイプ１５の内部空間を移動し、ゲート部１１ａを閉じるとともにゲート部１２ａを開く。
【００２６】
この状態で操作釦３２を押圧すると、気化ガスが、倒立用取込口１２ｂ−ゲート部１２ａ−倒立用通路部１２ｄ−気化ガス送出用パイプ１６−倒立用通路部１１ｄ−ハウジング１７−放出用パイプ３３を通過して放出口３３ａから外部空間に放出される。
【００２７】
ゲート部１１ａが閉じ、倒立用取込口１２ｂが上方域Ａに開口しているので、正立用取込口１１ｂからボール移動用パイプ１５に流入した液化ガスがハウジング１７に取り込まれることはない。
【００２８】
図３および図４に示すように正倒立用の気化ガス放出機構２は、ハウジング２１の垂下部２１ｃに、内部空間２１ａに連通する共用孔部２１ｄと、パイプ２４に連通する倒立用通路部２１ｅおよび倒立用孔部２１ｆとを、両者（内部空間２１ａおよび倒立用通路部２１ｅ）が直結しないように閉塞部分２１ｇを設けたかたちで形成している。
【００２９】
閉塞部分２１ｇを設けたのは、正立モードで下方域Ｂに位置するパイプ２４から吸い上げられた液化ガスがハウジング２１の内部空間２１ａに流入するのを防止するためである。
【００３０】
そして垂下部２１ｃには、各モードの切換時に自重で上下方向に移動する重り２２が設けられている。
【００３１】
重り２２は、
・図３の正立モードでは、共用孔部２１ｄおよび倒立用孔部２１ｆを上方域Ａに連通した状態にし、
・図４の倒立モードでは、共用孔部２１ｄおよび倒立用孔部２１ｆを下方域Ｂからシールした状態にするとともに、バイパス通路２５を形成して上方域Ａに位置するパイプ２４（の開口部）とハウジング２１の内部空間２１ａとを連通した状態にする。
【００３２】
したがって、正立モードおよび倒立モードのそれぞれにおいて、容器本体の上方域Ａに存在する気化ガスをハウジング２１の内部空間２１ａに取り込んで外部空間に放出することができる。
【００３３】
なお、重り２２の形状・構造を、正立モードのときに共用孔部２１ｄのみを上方域Ａに連通させる、すなわち倒立用孔部２１ｆは上方域Ａからシールする態様のものにしてもよい。
【００３４】
図３の正立モードでは、
・重り２２が受け部材２３に当接し、
・共用孔部２１ｄと倒立用孔部２１ｆは、それぞれ容器本体内部の上方域Ａと連通した状態となっている。
【００３５】
この状態で押釦３２を押圧すると、ステム３１の孔部（図示省略）が開き、容器本体の上方域Ａに位置する気化ガスが、共用孔部２１ｄ−ハウジング２１の内部空間２１ａ−ステム３１−放出用パイプ３３を通過して放出口３３ａから外部空間に放出される。
【００３６】
このとき、パイプ２４は容器本体の下方域Ｂに位置し、液化ガスを吸い上げる可能性があるが、倒立用通路部２１ｅや倒立用孔部２１ｆは閉塞部分２１ｇによりハウジング２１の内部空間２１ａに直通していないので、液化ガスが吸い上げられとしても倒立用孔部２１ｆから上方域Ａに送出される。そして、この送出された液化ガスが共用孔部２１ｄに流入して外部空間に放出される可能性は極めて小さい。
【００３７】
図４の倒立モードでは、重り２２がハウジング２１の受け部２１ｂに当接し、
・共用孔部２１ｄおよび倒立用孔部２１ｆと下方域Ｂとの連通状態を遮断し、
・垂下部２１ｃとの間にバイパス通路２５を形成している。
【００３８】
したがって、下方域Ｂに位置する液化ガスが共用孔部２１ｄに流入することはなく、勿論外部空間に放出されることもない。
【００３９】
そして、この状態で押釦３２を押圧すると、容器本体の上方域Ａに位置する気化ガスが、パイプ２４−倒立用通路部２１ｅ−倒立用孔部２１ｆ−バイパス通路２５−共用孔部２１ｄ−ハウジング２１の内部空間２１ａ−ステム３１−放出用パイプ３３を通過して放出口３３ａから外部空間に放出される。
【図面の簡単な説明】
【００４０】
【図１】気化ガス放出機構（その１）の正立モードを示した説明図である。
【図２】気化ガス放出機構（その１）の倒立モードを示した説明図である。
【図３】気化ガス放出機構（その２）の正立モードを示した説明図である。
【図４】気化ガス放出機構（その２）の倒立モードを示した説明図である。
【符号の説明】
【００４１】
１：正倒立用の気化ガス放出機構（その１）
１１：共用通路形成部材
１１ａ：ゲート部
１１ｂ：正立用取込口
１１ｃ：凹状部
１１ｄ：倒立用通路部
１２：倒立用通路形成用部材
１２ａ：ゲート部
１２ｂ：倒立用取込口
１２ｃ：凹状部
１２ｄ：倒立用通路部
１３：尾栓
１４：ボール
１５：ボール移動用パイプ
１６：気化ガス送出用パイプ
１７：ハウジング
１７ａ：内部空間
２：正倒立用の気化ガス放出機構（その２）
２１：ハウジング
２１ａ：内部空間
２１ｂ：重り２２の受け部
２１ｃ：垂下部
２１ｄ：共用孔部
２１ｅ：倒立用通路部
２１ｆ：倒立用孔部
２１ｇ：閉塞部分
２２：重り
２３：重り受け部材
２４：パイプ
２５：バイパス通路
３１：ステム
３２：操作釦
３３：放出用パイプ
３３ａ：放出口
Ａ：上方域
Ｂ：下方域
【図１】
2005035648.tif 000003
【図２】
2005035648.tif 000004
【図３】
2005035648.tif 000005
【図４】
2005035648.tif 000006